(57)【特許請求の範囲】
【請求項１】
中心軸に沿って延びる長尺形状で、一端側外面が、前面部分、前面部分の反対側に位置する背面部分、前記前面部分と前記背面部分の間に位置する第１側面部分、及び、前記前面部分と前記背面部分の間であって、第１側面部分の反対側に位置する第２側面部分で構成された本体と、
前記本体の一端側に、前記中心軸に対して略直交するように設けられ、歯科インプラントが安定位置に取り外し可能に取り付けられるように構成された第１プレート及び第２プレートと、
前記第１プレートと前記第２プレートの間に位置して前記両プレートを部分的に分離し、前記中心軸に略直交して前記前面部分から延びる開口部であって、さらに、前記中心軸に略直交して前記第１側面部分から延びる第１間隙と、前記中心軸に略直交して前記第２側面から延びる第２間隙とを備えることにより、前面部分、第１側面部分及び第２側面部分から本体の内外を連通可能とする開口部と、
を備え、
前記第１プレートは、開口に歯科インプラントを確実に把持するために弾性を有し、
前記第２プレートは、挿入された歯科インプラントの位置を安定させるように形成されたＵ字状の停止部を備えたことを特徴とする歯科インプラント受容体。
【請求項２】
前記開口部は、中心軸から本体外部へと徐々に広がるように傾斜することを特徴とする請求項１に記載の歯科インプラント受容体。
【請求項３】
前記第２プレートは、硬質で、歯科インプラントのためのガイドが設けられていることを特徴とする請求項１又は２に記載の歯科インプラント受容体。
【請求項４】
前記第１プレートは、中心軸方向に弾性変形可能であることを特徴とする請求項３に記載の歯科インプラント受容体。
【請求項５】
前記第１プレートは、中心軸方向に垂直方向に弾性変形可能であることを特徴とする請求項３又は４に記載の歯科インプラント受容体。
【請求項６】
前記第１プレートは、第１貫通孔と、開口に隣接する第２貫通孔とを備え、前記第２貫通孔は、前記第１貫通孔よりも小さな直径を有し、前記第１貫通孔と前記第２貫通孔は、溝によって連通していることを特徴とする請求項１から５のいずれか１項に記載の歯科インプラント受容体。
【請求項７】
前記第１プレートは、開口の周囲に対称に配置された切欠部を有することを特徴とする請求項１から６のいずれか１項に記載の歯科インプラント受容体。
【請求項８】
前記本体は、多数の把持体を備えたことを特徴とする請求項１から７のいずれか１項に記載の受容体。
【請求項９】
前記本体は、略正方形の断面を有することを特徴とする請求項８に記載の歯科インプラント受容体。
【請求項１０】
弾性変形可能な樹脂材料からなることを特徴とする請求項１から９のいずれか１項に記載の歯科インプラント受容体。
【請求項１１】
前記本体は、多数の補強体からなることを特徴とする請求項１から１０のいずれか１項に記載の歯科インプラント受容体。
【発明の詳細な説明】
【技術分野】
【０００１】
本発明は、インプラントのための受容体、特に、ネジ又は円筒形状のインプラントのための受容体に関する。
【背景技術】
【０００２】
そのようなインプラントは、例えば、歯科技術では既に公知で、ネジとほぼ同様な構成であり、ネジの先端領域は、骨、及び、義歯を保持するのに適した頭頂領域に挿入される。また、歯科手術では、インプラントに留められる受容体の他の実施形態が公知であり、あるものはインプラントを固定し、他のものは保持体から無菌状態で取り外すことが可能である。また、それらは共に、外科的介入まで、インプラントが手等の無菌でない手段に接触しないことを確かなものにする。本願の関連分野では、例えば、必要とされる無菌状態での取扱いという理由のために、インプラントが少なくとも直接手に触れることがなく、インプラントを確実に把持することが必要とされている。
【０００３】
そのような受容体の機能は、インプラントを安全に搬送し、保管のための無菌装備を提供することである。無菌状態下で行われる外科的介入の最中にインプラントを移すために、インプラントを受容体から取り外す。一般に、受容体は、例えば、インプラントに使用される工具によってインプラントに留めた保持体を有する（次のように、インプラントと、そこに取り付けた保持体との連結は、簡素化のためのインプラント組立体と言われている。）。インプラントは、準備された患者のインプラント部位にほぼ配置され、保持体が取り外される。さらなる保護のため、インプラントのときまで、第２の保護体に受容体を保管するのは常識でもある。
【０００４】
特許文献１により、カプセルに挿入するための円筒状のアンプルが公知であり、そのアンプルはインプラントを受容するのに適している。アンプルは、平行に開口する凹部を設けた表面領域を有する。この凹部は、インプラントと、このインプラントに連結された保持体とからなるインプラント組立体を挿入するために使用される。インプラント組立体は、開口を介して押圧することによりアンプルの首部に固定される。しっかりと固定するため、インプラントを硬質構造のアンプルと共に圧入する際、十分な圧力を作用させなければならない。その結果、発生する力が拡大溝と円筒面に沿って広がるので、構成材料が多大な圧力を受ける。圧力があまりに大きい場合、表面にクラックが形成される恐れがある。クラックは、首部内での把持効果を削減あるいは相殺すらする。さらに、硬質構造のため、相対的に狭くて円筒面がさらに拡大を阻止するような拡張溝の領域内でのみ拡張可能であるので、凹部が小さな開口のみを有するならば、大きな力を作用させることによってのみ挿入可能である。しかしながら、凹部の開口角度を拡大することにより、良好な把持行為で歯科インプラントの挿入を容易にする。このため、インプラントは容易に凹部からスライド移動し、無菌表面に接触することが可能である。悪いことに、インプラントは、例えば、作業テーブルから床に落下すれば、損傷する可能性もある。また、アンプルの表面は、相対的に小さな断面を有し、インプラントと首部の内部との間の全保持力がこの狭い領域に制限され、保持力又は引張力は、インプラントがホルダから取り外されると、それぞれ圧力又は圧縮によって結果的に増大する。これにより、インプラントの保持力が増大し、取り外し工程が制御困難となる。
【０００５】
また、長時間に亘る保管により、把持領域での把持力が弱くなり、最悪の場合、インプラントに十分な保持力を維持できなくなる。そして、インプラントがアンプル内で揺動する結果、アンプルに接触することにより損傷する。
【０００６】
さらに、円筒アンプルは、挿入されれば、ある範囲内で軸の周囲を移動し、把持を困難なものとする。
【先行技術文献】
【特許文献】
【０００７】
【特許文献１】国際公開９８／５５０３９号公報
【発明の概要】
【発明が解決しようとする課題】
【０００８】
歯科インプラントを受容するための従来の装置の前述の欠点を考慮して、本発明の目的は、歯科インプラント組立品を適切な位置に確実に固定し、歯科インプラント組立品を受容体に配置する際、より交換しやすく、力の発生をうまく処理するような歯科インプラントのための受容体を提供することである。さらに、取扱いがより簡単で安全な上、既存の技術で経済的に製造することが可能である。
【０００９】
本発明の他の目的は、改良された安定性及び力の転換を備え、前述の欠点を回避する歯科インプラントのための受容体を提供することである。
【００１０】
この目的の範囲内において、本発明の他の目的は、表面で滑ることからより適切に防止する歯科インプラントのための受容体を提供することである。
【００１１】
本発明の他の目的は、受容体を、より簡単に、かつ、より安全に取り扱うことができることである。
【００１２】
本発明の他の目的は、受容体を簡単かつ公知の方法で安価に製造できることである。
【課題を解決するための手段】
【００１３】
これらの目的は、後述する詳細な説明で理解され、請求項１に係る歯科インプラントのための受容体によって実現される。本発明の他の有利な実施形態は、従属項の対象である。
【００１４】
本発明に係る略円筒形の受容体の構造的な特徴は、受容体を保持する頭部が本体の近傍で分離しているため、ホルダーから歯科インプラントを、この目的のために設けた開口を介して取り除く間、発生させる力は効果的に分散されるか、あるいは、完全に除去される点にある。略正方形の本体部は、歯科インプラントの挿入を容易とするために開口側面を設けるのが有効である。さらに、頭部は、歯科インプラントに圧着接続に適した第１表面と、歯科インプラントが本体部の内壁に接触することを防止する第２表面とを備える。
さらに、受容体の一方の側面には、作業テーブル等の平面に安定した位置を確保する平面が設けられている。好ましい実施形態では、受容体は、その本体部に多数の補強リブを備え、それらは一方では外壁を補強し、他方ではより適切な把持を保証する。
【図面の簡単な説明】
【００１５】
【図１】本発明の実施形態に係る歯科インプラントのための受容体の側面図である。
【図２】図１の歯科インプラントのための受容体の正面図である。
【図３】図１の歯科インプラントのための受容体を、Ａ−Ａ線に沿って矢印方向から見た縦断面図である。
【図４】図１の歯科インプラントのための受容体を、Ｂ−Ｂ線に沿って矢印方向から見た縦断面図である。
【図５】図１の歯科インプラントのための受容体を、Ｆ−Ｆ線に沿って矢印方向から見た断面図である。
【図６】図１の歯科インプラントのための受容体を、Ｄ−Ｄ線に沿って矢印方向から見た断面図である。
【図７】図１の歯科インプラントのための受容体の平面図である。
【発明を実施するための形態】
【００１６】
以下、本発明に係る実施形態を添付図面に従って説明する。なお、以下の説明は、本質的に例示に過ぎず、本発明、その適用物或いはその用途を制限することを意図するものではない。
【００１７】
図１から図７には、本発明の好ましい実施形態に係る歯科インプラントのための受容体が記載されている。この受容体は、略円筒形の基部、歯科インプラントを囲む本体部、及び、２つの板で形成された可撓性頭部からなる。頭部は、歯科インプラントを受容するための把持装置を備える。把持装置は、歯科インプラントを所定位置に取り外し可能に把持して固定するのに適している。
【００１８】
図１は、歯科インプラントのための受容体１、すなわち、基本的に３つの部位を備えた受容体１を示す。頭部を形成する第１部位は、略Ｃ形状の前方平面２からなり、それは、前述のように、歯科インプラント（図示せず）を所定位置に固定するのに適した第１プレート３を備える。第１プレート３は、隣接する第１肩部４によって囲まれた開口部５を調整し、その下方の第２肩部４´は、第２プレート６に隣接する。開口部５は、顎形状で、プレート３、６の各端部の開口側から受容体１の中心軸Ｚに延び、中心軸Ｚでの開口幅は外側よりも小さいのが好ましい。顎状部（開口部）５は、プレート３、６を機械的に非連結状態とし、第１プレート３を本体７から分離する。
【００１９】
顎状部５が設けられていない側には、前方平面２の外縁から平面状頭部１６に向かう面取部１７が設けられ、面状頭部１６は面状頭部縁１５に隣接し、頭部１６と受容体１の本体７の双方に隣接する。第２プレート６の一部は顎状（開口）部５と、第２肩部４´の双方にそれぞれ隣接し、略平面状である。第２プレート６の一部は、顎状部５の下方に位置し、本体７によって形成される第２部位に隣接し、対称に配置した多数の補強リブ８を備える。これらは本体７の表面から突出し、互いに等距離に配置されるのが好ましい。好ましい実施形態では、これら補強リブ８は縦長形状である。底面９は、第２プレート６に対して反対側に位置する本体７の縁部に隣接し、ほぼ対称な円形であり、そこには本体７が直交している。第３部位は、底面８と底部１１の間に固定された周縁部１０を備え、底部１１は、片側で、表面に配置するのに適した起立領域１２へと変形されている。底縁１４と起立領域１２の間に形成した底部１３は平面であるのが好ましい。底縁１４も平面で、底部１３に隣接する。頭縁１５と底縁１４の平面構造のため、受容体１を表面に安定して位置させ、転がることを阻止し、容易に把持することが可能である。
【００２０】
図２は、受容体１のさらなる特徴を示し、第１貫通孔２３と第２貫通孔２４が第１プレート３の中央部に配置されている。直近の好ましい実施形態では直径の違いは必須ではないが、第２貫通孔２４は、第１貫通孔２３よりも直径が小さいのが好ましい。第１貫通孔２３及び第２貫通孔２４は、図７にも示すように、１箇所で開口溝３９によって互いに連通されている。第１貫通孔２３は、図７に示すように、第１プレート３の開口４０に隣接する。さらに、図２に示すように、第１長尺孔１８及び第２長尺孔１９が本体７に形成されている。
【００２１】
図３及び図４は、受容体１のさらなる特徴を示し、第１プレート３の一部が、外縁から受容体１のほぼ中心軸Ｚまで延びる面取脚部２２を備える。面取脚部２２により、歯科インプラントを容易に挿入することができる。さらに、歯科インプラントが圧入されると、第１プレート３は、歯科インプラントが第１貫通孔２３の所定位置に固定され、そこで保持されるまで、第２プレート６に対して、受容体１の中心軸Ｚに対して垂直方向に弾性変形可能であり、上述のように、顎状部５の第１間隙３６と第２間隙３７により、本体７と第２プレート６から機械的に非連結となる。また、反対側の面取部１７は、弾性を有するのがよい。第１補強部２０と第２補強部２１は、歯科インプラントのための受容体が押圧されたときに生成される張力に抗する構造を強化するために使用される。第１切欠部３４と第２切欠部３５は、円錐形とすることができ、第１プレート３に対称に配置され、第１貫通孔２３に隣接する。第２貫通孔２４は歯科インプラントが第１プレート３の開口４０を介して押圧されるときに力を分散させるのに適しており、第１プレート３は中心軸Ｚに垂直な方向に弾性的に伸長可能である。受容体が射出成形にて製造されるならば、切欠部の円錐形状は機械加工の理由として特に好ましい。前述のように、第２貫通孔２４は、拡張貫通孔として使用され、歯科インプラントが圧入される際に拡張可能となるように第１貫通孔２３よりも直径が小さく、溝３９によって第１貫通孔２３に連通されている。第１プレート３の弾性変形により、第１貫通孔２３内に歯科インプラントを確実に固定する、保持及びスナップイン接続の両方が有効となる。
【００２２】
図５及び図６は、受容体１の頭部を示し、図５は、開口４０（図７参照）の一部に、歯科インプラントの挿入を容易にするために使用する第１面取部２６及び第２面取部２７を備えた領域４１を示す。第１及び第２面取部のなす角度は、８０度から１２０度の範囲内であるのが好ましい。領域４１は、面取部２６、２７の全断面を含み、図６に示すＵ状部３２を形成するために硬質である。Ｕ状部３２の内面は、例えば、搬送中に本体７の内壁への接触を防止するため、歯科インプラントを安定位置に保持する停止部３３を形成する。開口４０の一部には、底面９（図１）がＵ状部３２とほぼ同じ幅を有する環状部２５を備え、その中心では、底面が第１及び第２貫通孔２３、２４よりも大きな直径を有する第３貫通孔４２を備える。
【００２３】
図７は、第１貫通孔２３が第３貫通孔４２と同一直線上に配置されたことを示す。開口４０の領域内には、第１切欠部３４と第２切欠部３５がほぼ平行に延び、第１貫通孔２３及び第２貫通孔２４の近傍で、第２貫通孔２４の中心方向に若干湾曲している。
受容体１は、従来の工程、例えば、一体成型で製造することができ、弾性樹脂材料で構成するのが好ましい。
【符号の説明】
【００２４】
１…受容体
２…前方面
３…第１プレート
４…第１肩部
４´…第２肩部
５…顎状部
６…第２プレート
７…本体
８…補強リブ
９…底面
１０…周縁
１１…底部
１２…起立領域
１３…平面底部
１４…底縁
１５…頭縁
１６…平面
１７…面取部
１８…第１長尺孔
１９…第２長尺孔
２０…第１突出部
２１…第２突出部
２２…面取脚部
２３…第１貫通孔
２４…第２貫通孔
２５…環状部
２６…第１面取部
２７…第２面取部
２８…第１挿入縁
２９…第２挿入縁
３０…第１ガイドレール
３１…第２ガイドレール
３２…停止部
３３…Ｕ状部
３４…第１切欠部
３５…第２切欠部
３６…第１間隙
３７…第２間隙
３８…円筒状内壁
３９…溝
４０…開口
４１…領域
４２…第３貫通孔
【図１】
0005583577.tif 000002
【図２】
0005583577.tif 000003
【図３】
0005583577.tif 000004
【図４】
0005583577.tif 000005
【図５】
0005583577.tif 000006
【図６】
0005583577.tif 000007
【図７】
0005583577.tif 000008